(57)【特許請求の範囲】
【請求項１】
アンカーケーブルの先端部をアンカーヘッドに定着クサビを介して定着させるアンカーの補修用治具であって、テーパ面を有する孔を備えたカプラーと、該カプラーの前記テーパ面に係合可能、かつその先端部が該カプラーの端面から突出するように配置された前記アンカーケーブルの先端部を掴持する除荷用クサビと、該除荷用クサビを介して前記アンカーケーブルに荷重を加え、前記定着クサビを前記アンカーヘッドから離間させて前記アンカーケーブルから取り外し可能とするジャッキと、前記アンカーヘッドと前記除荷用クサビとの間に挿脱可能であるとともに、挿入時に前記除荷用クサビの先端を当接させて前記除荷用クサビを前記アンカーケーブルから取り外し可能とするシャッターとを備えたことを特徴とするアンカーの補修用治具。
【請求項２】
請求項１に記載のアンカーの補修用治具であって、
前記除荷用クサビは周方向に３又は４つに分割され、その分割片の先端面が前記シャッターに当接可能としたことを特徴とするアンカーの補修用治具。
【請求項３】
請求項１又は２記載のアンカー補修用治具であって、
対象となる前記アンカーケーブルが、その周方向回りに隣接する素線外端を通る辺により仮想偶数多角形状が形成される複数の素線を備えた構成のものとされ、
前記シャッターが、その先端部に前記アンカーケーブルを挿通させるＵ字状の溝を備えるとともに、該溝の周辺部が前記除荷用クサビ先端面の当接面とされた構成とされ、
前記溝の幅寸法が、前記多角形状の対向する略二辺間の寸法とされていることを特徴とするアンカーの補修用治具。
【請求項４】
請求項３記載のアンカーの補修用治具であって、
前記シャッターに当接させる前記除荷用クサビの先端面の厚み寸法が３ｍｍから４ｍｍの範囲内に設定されていることを特徴とするアンカーの補修用治具。
【請求項５】
請求項３又は４記載のアンカー補修用治具であって、
前記当接面が、前記各素線外端に接して前記アンカーケーブルの周方向をめぐる周長の１／２以上の領域を占めるように形成されていることを特徴とするアンカー補修用治具。
【請求項６】
アンカーケーブルの先端部をアンカーヘッドに定着クサビを介して定着させるアンカーの補修方法であって、前記アンカーケーブルの先端部を除荷用クサビによって掴持し、この状態でジャッキにより除荷用クサビを介して前記アンカーケーブルに荷重を加え、前記定着クサビを前記アンカーヘッドから離間させて前記アンカーケーブルから取り外し、この後、前記除荷用クサビと前記アンカーヘッドとの間にシャッターを挿入して前記ジャッキによる前記アンカーケーブルに対する荷重を除去し、前記除荷用クサビの先端を前記シャッターに当接させて前記除荷用クサビを前記アンカーケーブルから取り外すことを特徴とするアンカーの補修方法。
【請求項７】
請求項６に記載のアンカーの補修方法であって、
前記除荷用クサビは周方向に３又は４つに分割され、そのうちの少なくとも１つの分割片の先端面が前記シャッターに当接可能としたことを特徴とするアンカーの補修方法。
【発明の詳細な説明】
【０００１】
【発明の属する技術分野】
本発明は、山留め工事や斜面安定工事、構造体の安定工事等において、ＰＣ鋼撚り線等からなるアンカーケーブルを用いて施工されるアンカーの補修に有効なアンカーの補修用治具及びアンカーの補修方法に関するものである。
【０００２】
【従来の技術】
山留工事等においては、地中に穴を掘削し、その穴内にアンカーケーブルを挿入してグラウト材で固定し、このアンカーケーブルにジャッキ等により緊張力を与え、この状態でアンカーケーブルの先端部を地表に位置したアンカーヘッドに定着クサビを介して定着させ、工事箇所を補強することが行われている。
【０００３】
この場合、定着クサビは、その外周面をアンカーヘッドに設けた係合孔内に係合させることで、内周側のクサビ歯をアンカーケーブルの周面に食い込ませ、アンカーケーブルの先端部を掴持している。
【０００４】
【発明が解決しようとする課題】
しかしながら、上記のような構成のアンカーにあっては、各部の補修のためにアンカーケーブルの緊張力を除去しようとする場合に、アンカーケーブルの先端部を掴持している定着クサビがアンカーヘッドの係合孔内に没入しているため、取り外すことが困難であり、アンカーケーブルの緊張力を除去することができない。
【０００５】
この場合、定着クサビから僅かに突出しているアンカーケーブルの部分を除荷用のクサビで掴持し、除荷用のクサビを介してアンカーケーブルに荷重を加え、定着クサビをアンカーヘッドの係合孔から離脱させることにより、定着クサビをアンカーケーブルから取り外すことはできるものである。
【０００６】
しかしながら、このような方法を採った場合には、定着クサビを取り外した後に、除荷用のクサビを取り外す作業が必要となり、その作業においてはアンカーケーブルの荷重が完全にゼロにならなければならないが、そのような条件にアンカーケーブルがなることは殆どあり得ないため、除荷用のクサビを取り外すことが困難となり、アンカーケーブルの緊張力を除去することができない。
【０００７】
本発明は、前記のような従来の問題に鑑みなされたものであって、アンカーケーブルの緊張力を除去してアンカーの各部の補修を行う場合に、アンカーケーブルをアンカーヘッドに定着させている定着クサビを容易にかつ確実に取り外すことができ、これによりアンカーケーブルの緊張力を容易にかつ確実に除去することができるアンカーの補修用治具及びアンカーの補修方法を提供することを目的とするものである。
【０００８】
【課題を解決するための手段】
本発明は、上記のような課題を解決するために、以下のような手段を採用している。すなわち、請求項１に係る発明は、アンカーケーブルの先端部をアンカーヘッドに定着クサビを介して定着させるアンカーの補修用治具であって、テーパ面を有する孔を備えたカプラーと、該カプラーの前記テーパ面に係合可能、かつその先端部が該カプラーの端面から突出するように配置された前記アンカーケーブルの先端部を掴持する除荷用クサビと、該除荷用クサビを介して前記アンカーケーブルに荷重を加え、前記定着クサビを前記アンカーヘッドから離間させて前記アンカーケーブルから取り外し可能とするジャッキと、前記アンカーヘッドと前記除荷用クサビとの間に挿脱可能であるとともに、挿入時に前記除荷用クサビの先端を当接させて前記除荷用クサビを前記アンカーケーブルから取り外し可能とするシャッターとを備えたことを特徴とする。
【０００９】
この発明によるアンカーの補修用治具によれば、アンカーケーブルの先端部を除荷用クサビで掴持し、ジャッキにより除荷用クサビを介してアンカーケーブルに荷重を加えることにより、定着クサビがアンカーヘッドから離間してアンカーケーブルから取り外し可能となる。そして、定着クサビをアンカーヘッドから取り外した後に、アンカーヘッドと除荷用クサビとの間にシャッターを挿入し、ジャッキによるアンカーケーブルに対する荷重を除去することにより、除荷用クサビがアンカーヘッドの方向に移動し、その先端がシャッターに当接して除荷用クサビの掴持力が弱められ、除荷用クサビがアンカーケーブルから取り外し可能となる。そして、除荷用クサビをアンカーケーブルから取り外すことにより、アンカーケーブルの緊張力が除去され、アンカーの各部の補修が可能となる。
【００１０】
請求項２に係る発明は、請求項１に記載のアンカーの補修用治具であって、前記除荷用クサビは周方向に３又は４つに分割され、その分割片の先端面が前記シャッターに当接可能としたことを特徴とする。
【００１１】
この発明によるアンカーの補修用治具によれば、ジャッキによるアンカーケーブルに対する荷重を除去することにより、除荷用クサビがアンカーヘッドの方向に移動し、３又は４つの分割されている除荷用クサビの分割片の先端面がシャッターに当接し、除荷用クサビのアンカーケーブルに対する掴持力が弱められ、除荷用クサビがアンカーケーブルから取り外し可能となる。そして除荷用クサビをアンカーケーブルから取り外すことにより、アンカーケーブルの緊張力が除去され、アンカーの各部の補修が可能となる。
【００１２】
請求項３に係る発明は、請求項１又は２記載のアンカー補修用治具であって、対象となる前記アンカーケーブルが、その周方向回りに、隣接する素線外端を通る辺により仮想偶数多角形状が形成される複数の素線を備えた構成のものとされ、前記シャッターが、その先端部に前記アンカーケーブルを挿通させるＵ字状の溝を備えるとともに、該溝の周辺部が前記除荷用クサビ先端面の当接面とされた構成とされ、前記溝の幅寸法が、前記多角形状の対向する略二辺間の寸法とされていることを特徴とする。
【００１３】
この発明によるアンカー補修用治具によれば、シャッターの溝内にアンカーケーブルを相対的に挿入させた際に、シャッター壁面とアンカーケーブルとの間隙を微少なものとすることができ、除荷用クサビの先端部がこれらシャッター壁面とアンカーケーブルとの間に落ち込む等の不都合が回避される。
【００１４】
請求項４に係る発明は、請求項３記載のアンカーの補修用治具であって、前記シャッターに当接させる前記除荷用クサビの先端面の厚み寸法が３ｍｍから４ｍｍの範囲内に設定されていることを特徴とする。
【００１５】
この発明によるアンカーの補修用治具によれば、除荷用クサビ、カプラーの大型化を招くことがなく、しかも除荷用クサビの先端面が確実にシャッターに当接し、当該除荷用クサビの先端部がシャッター壁面とアンカーケーブルとの間の落ち込む等の不都合が回避される。
【００１６】
請求項５に係る発明は、請求項３又は４記載のアンカー補修用治具であって、前記当接面が、前記各素線外端に接して前記アンカーケーブルの周方向をめぐる周長の１／２以上の領域を占めるように形成されていることを特徴とする。
【００１７】
この発明によるアンカーの補修用治具によれば、除荷用クサビが３又は４つに分割されていても、該除荷用クサビがシャッターに確実に当接し、該除荷用クサビのシャッターからの脱落が防止される。
【００１８】
請求項６に係る発明は、アンカーケーブルの先端部をアンカーヘッドに定着クサビを介して定着させるアンカーの補修方法であって、前記アンカーケーブルの先端部を除荷用クサビによって掴持し、この状態でジャッキにより除荷用クサビを介して前記アンカーケーブルに荷重を加え、前記定着クサビを前記アンカーヘッドから離間させて前記アンカーケーブルから取り外し、この後、前記除荷用クサビと前記アンカーヘッドとの間にシャッターを挿入して前記ジャッキによる前記アンカーケーブルに対する荷重を除去し、前記除荷用クサビの先端を前記シャッターに当接させて前記除荷用クサビを前記アンカーケーブルから取り外すことを特徴とする。
【００１９】
この発明によるアンカーの補修方法によれば、アンカーケーブルの先端部を除荷用クサビによって掴持し、この状態でジャッキにより除荷用クサビを介してアンカーケーブルに荷重を加えることにより、定着クサビがアンカーヘッドから離間し、アンカーケーブルから取り外し可能となる。そして、定着クサビをアンカーケーブルから取り外した後に、除荷用クサビとアンカーヘッドとの間にシャッターを挿入し、ジャッキによるアンカーケーブルに対する荷重を除去することにより、除荷用クサビがアンカーヘッドの方向に移動してその先端がシャッターに当接し、除荷用クサビのアンカーケーブルに対する掴持力が弱められ、除荷用クサビがアンカーケーブルから取り外し可能となる。そして、除荷用クサビをアンカーケーブルから取り外すことにより、アンカーケーブルの緊張力が除去され、アンカーの各部の補修が可能となる。
【００２０】
請求項７に係る発明は、請求項６に記載のアンカーの補修方法であって、前記除荷用クサビは軸方向に３又は４つに分割され、そのうちの少なくとも１つの分割片の先端面が前記シャッターに当接可能としたことを特徴とする。
この発明によるアンカーの補修方法によれば、ジャッキによるアンカーケーブルに対する荷重を除去することにより、除荷用クサビがアンカーヘッドの方向に移動し、３又は４つの分割されている除荷用クサビの少なくとも１つの分割片の先端面がシャッターに当接し、除荷用クサビのアンカーケーブルに対する掴持力が弱められ、除荷用クサビがアンカーケーブルから取り外され、アンカーケーブルの緊張力が除去されることになる。
【００２１】
【発明の実施の形態】
以下、図面に示す本発明の実施の形態について説明する。
図１から図９には、本発明によるアンカーの補修用治具の一実施の形態が示されていて、このアンカーの補修用治具１は、山留め工事、斜面安定工事、構造体の安定工事等において、アンカー工法によって施工されたアンカーの補修に有効に用いられるものである。
【００２２】
すなわち、アンカーは、図１、図２に示すように、地中又は構造体中にアンカー孔（図示せず）を掘削し、このアンカー孔内に複数本（この実施の形態においては６本）のアンカーケーブル２１を挿入し、この状態でアンカー孔内にモルタル等のグラウト材を充填して硬化させて、アンカーケーブル２１を地中又は構造体中に固定したものである。なお、この実施の形態では、アンカーケーブル２１として、図７に示すように７本のＰＣ鋼撚り線（以下素線という）２１ａを備えたものが補修の対象とされる。
【００２３】
そして、地表又は構造体の表面に円板状のアンカーヘッド２３を位置させ、このアンカーヘッド２３の同心円上に設けた係合孔２４内に各アンカーケーブル２１の先端部を挿通させ、各アンカーケーブル２１の先端部に３つ割りに形成した定着クサビ２２を取り付け、ジャッキ等（図示せず）により各アンカーケーブル２１に荷重を加えて緊張力を付加し、この状態でジャッキによる荷重を除去して各定着クサビ２２を各係合孔２４内に係合させ、各アンカーケーブル２１を緊張力を付加した状態で定着させる。
【００２４】
上記のように構成したアンカーの補修に用いられる本発明の一実施の形態のアンカー補修用治具１は、ジャッキチェアー２と、ジャッキチェアー２内に設けられるカプラー４と、カプラー４に装着される除荷用クサビ７と、除荷用クサビ７に荷重を加えるジャッキ１２と、除荷用クサビ７とアンカーヘッド２３との間に挿脱可能な図３に示すシャッター１３とを備えている。
【００２５】
ジャッキチェアー２は、筒状をなすものであって、一端部の内周側にアンカーヘッド２３の外周側を嵌合させることで、アンカーヘッド２３側に取り付けられるようになっている。
【００２６】
ジャッキチェアー２の周面の一部には内外を貫通する開口部３が設けられ、この開口部３を介してジャッキチェアー２の内部に後述するシャッター１３が挿脱可能となっている。
【００２７】
ジャッキチェアー２の内部にカプラー４が軸方向に移動可能に設けられている。カプラー４は、筒状をなすものであって、その孔５の長手方向の一端部が所定の角度のテーパ面５ａとされ、このテーパ面５ａに除荷用クサビ７が係合可能に装着されるようになっている。
【００２８】
カプラー４の中心は、図２に示すように、ジャッキチェアー２の中心から偏心した位置に位置するようになっている。すなわち、ジャッキチェアー２は、アンカー補修時に、その中心を６本のアンカーケーブル２１の中心に合致させて設置されるが、その際カプラー４の中心は、６本のアンカーケーブル２１について順次作業が行えるように、ジャッキチェアー２の中心から偏心して位置するようになっている。
【００２９】
除荷用クサビ７は、筒状をなすものであって、外周面はカプラー４の一端部内周面のテーパ面５ａと合致するテーパ面８に形成されている。除荷用クサビ７の小径側の先端部は、図３に示すようにカプラー４の軸方向の端面から所定の長さＬｌ（この実施の形態では５ｍｍ程度）突出するようになっている。この除荷用クサビ７は、図８、図９に示すように周方向に３つに分割され、各分割片７ａの内周面には軸線と直交する方向を向くクサビ歯（図示せず）が軸方向に沿って所定の間隔ごとに設けられている。除荷用クサビ７の小径側の端面は肉厚Ｌ２が３〜４ｍｍ程度に形成されている。ジャッキチェアー２をアンカーヘッド２１に取り付けた際に、除荷用クサビ７の内周側に任意のアンカーケーブル２１の先端部が挿通するようになっている。
【００３０】
カプラー４の長手方向の他端部の内周面は、所定の角度のテーパ面６に形成され、この部分に荷重付加用クサビ９が係合可能に装着されるようになっている。荷重付加用クサビ９は、筒状をなすものであって、外周面はカプラー４の他端部内周面のテーパ面６と合致するテーパ面１０が形成されている。荷重付加用クサビ９は、除荷用クサビ７と同様に周方向に３つに分割され、各分割片の内周面には軸線と直交する方向を向くクサビ歯（図示せず）が軸方向に沿って所定の間隔ごとに設けられている。荷重付加用クサビ９の内周側には荷重付加用ケーブル１１の先端部が挿通するようになっている。
【００３１】
カプラー４の長手方向の他端部にはジャッキ１２が装着され、このジャッキ１２の作動により荷重付加用ケーブル１１、荷重付加用クサビ９、カプラー４、及び除荷用クサビ７を介してアンカーケーブル２１に荷重を加えることができるようになっている。
【００３２】
シャッター１３は、図４に示すように、先端部にアンカーケーブル２１を挿通させるＵ字型の溝１４を有する板状をなすものであって、この溝１４の幅はアンカーケーブル２１の２面幅とほぼ同一寸法に形成されるようになっている。
すなわち、この実施の形態では、補修の対象となるアンカーケーブル２１は、図７に示すように素線２１ａを７本有するものであり、中心に位置する１本の素線の周囲に６本の素線２１ａが等間隔環状配置された構成であり、アンカーケーブル２１の周方向回りに、隣接する素線２１ａ、２１ａの外端を通る辺１００により仮想六角形１０１（仮想偶数多角形）が形成される構成となっている。
【００３３】
そして、シャッター１３は、前述したように、その先端部にアンカーケーブル２１を挿通させるＵ字状の溝１４を備えるとともに、該溝１４の周辺部が除荷用クサビ７の先端面の当接面１３ａとされ、溝１４の幅寸法Ｌ４が、アンカーケーブル２１の最大外形寸法Ｌ３より小寸法である前記仮想六角形１０１の対向する略二辺間の寸法（同二辺間寸歩より僅かに大きい寸法）とされている。
【００３４】
また、このシャッター１３は、当接面１３ａが、各素線２１ａ外端に接してアンカーケーブル２１の周方向をめぐる周長の１／２以上の領域１０３を占めるように形成されており、この実施の形態では同周長の１／２＋αの領域を占めるように形成されている。
【００３５】
従って、上記の構成においては、シャッター１３の溝１４を形成する壁面とアンカーケーブル２１との間の間隙を極僅かとなり、除荷用クサビ７の３つの分割片７ａの端面の肉厚が３〜４ｍｍに設定されていることと相まって、同除荷用クサビ７の分割片７ａの端面がシャッター１３の当接面ａに確実に当接できることになる。
【００３６】
また、当接面１３ａが、上記のようにアンカーケーブル２１の周長の1／２＋αの領域を占めるように形成されているので、除荷用クサビ７の向きにかかわらず、常に２つの分割片７ａの端面を確実にシャッター１３の当接面１３ａに当接させることができるものである。
【００３７】
そして、上記のように構成したこの実施の形態によるアンカーの補修用治具１を用いて本発明によるアンカーの補修方法を実施するには、まず、図１に示すように、ジャッキチェアー２をアンカーヘッド２３に装着し、カプラー４の中心をアンカーケーブル２１の中心に一致させ、アンカーケーブル２１の定着クサビ２２の端面から突出している部分に除荷用クサビ７を取り付ける。
【００３８】
そして、図３及び図４に示すように、ジャッキ１２を作動させてカプラー４、除荷用クサビ７を介してアンカーケーブル２１に緊張する方向への荷重を加え、定着クサビ２２をアンカーヘッド２３から離間させ、定着クサビ２２をアンカーケーブル２１から取り外す。
【００３９】
そして、この状態で除荷用クサビ７とアンカーヘッド２３との間にジャッキチェアー２の開口部３からシャッター１３を挿入し、シャッター１３の溝１４内にアンカーケーブル２１を挿通させる。
【００４０】
そして、図５及び図６に示すように、ジャッキ１２の作動を停止させてジャッキ１２によるアンカーケーブル２１に対する荷重を除去し、アンカーケーブル２１の復元力によりカプラー４と一体に除荷用クサビ７をアンカーヘッド２３の方向に移動させ、カプラー４の軸方向の端面及び除荷用クサビ７の軸方向の端面をシャッター１３の側面に当接させる。この場合、ジャッキ１２は、ダンパーの役目をすることになるので、アンカーケーブル２１の移動速度は危険なものとはならず、また一気にアンカーケーブル２１が弾けることでアンカーケーブル２１の定着長が破壊されることもない。
【００４１】
そして、カプラー４の軸方向の端面及び除荷用クサビ７の軸方向の端面がシャッター１３の側面に当接することにより、除荷用クサビ７のカプラー４に対する係合力が弱まる。すなわち、この場合、除荷用クサビ７は、その先端部がシャッター１３に当接する前の状態において、図３に示すようにカプラー４の端面から寸法Ｌ１だけ突出しており、同先端部がシャッター１３に当接した時点で、カプラー４に対しジャッキ１２側へ相対移動する。したがって、除荷用クサビ７のクサビ歯のアンカーケーブル２１に対する食い込みが弱まり、クサビ効果が消滅し、除荷用クサビ７の内周側においてアンカーケーブル２１にスリップが生じ、アンカーケーブル２１の緊張力が除去される。なお、アンカーケーブル２１がスリップし始めるタイミングによっては除荷用クサビ７のクサビ歯が摩耗することがあるが、実用上、特に問題になるものではない。
【００４２】
また、上記の補修作業において、シャッター１３の溝１４の幅寸法Ｌ４をアンカーケーブル２１の周方向回りに形成される仮想六角形１０１の対向する略二辺間の寸法としたので、除荷用クサビ７の先端部がシャッター１３とアンカーケーブル２１との間に落ち込む等の不都合を回避することができる。この場合、除荷用クサビ７の先端部端面の肉厚Ｌ２が３〜４ｍｍに設定されているので、上記の不都合の回避をより確実なものとするとともに、除荷用クサビ７、カプラー４の大型化を回避して、狭隘なスペースでの複数のアンカーケーブル２１の補修作業が可能となる。
【００４３】
また、シャッター１３の当接面１３ａが、アンカーケーブル２１の周長の1／２＋αの領域を占めるように形成されているので、除荷用クサビ７の向きにかかわらず、常に２つの分割片７ａの端面を確実にシャッター１３の当接面１３ａに当接させることができ、上記の補修作業を常に安定して行うことができる。
【００４４】
上記のように構成したこの実施の形態によるアンカーの補修用治具１にあっては、除荷用クサビ７を用いて定着クサビ２２をアンカーケーブル２１の先端部から容易にかつ確実に取り外すことができるとともに、定着クサビ２２の取り外しに用いた除荷用クサビ７をシャッター１３を用いて容易にかつ確実に取り外すことができることになる。従って、従来は困難であったアンカーケーブル２１の緊張力の除去を容易にかつ確実に行うことができ、アンカーの各部の補修等のメンテナンスを行うことができ、アンカーとしての機能を長期的に発揮させることができることになる。
【００４５】
なお、前記の説明においては、除荷用クサビ７及び荷重付加用クサビ９を周方向に３つに分割したが、これを４つに分割しても上記と同様に作業を良好に行うことができる。また、シャッター１３の当接面１３ａは、アンカーケーブル２１の周長の1／２の領域を占めるように形成されていれば、除荷用クサビ７の向きにかかわらず、上記と同様に、常に２つの分割片７ａの端面を確実にシャッター１３の当接面１３ａに当接させることができ、上記の補修作業を安定して行うことができる。
【００４６】
【発明の効果】
以上、説明したように、本発明による請求項１に記載のアンカーの補修用治具によれば、除去用クサビを用いてアンカーケーブルをアンカーヘッドに定着させている定着クサビを容易にかつ確実に取り外すことができるとともに、シャッターを用いて除荷用クサビを容易にかつ確実に取り外すことができることになる。従って、アンカーケーブルの緊張力を容易にかつ確実に除去できるので、アンカーの各部の補修等のメンテナンスを行うことが可能となり、アンカーとしての機能を長期的に発揮することができ、工事箇所を長期的に補強することができることになる。
【００４７】
また、請求項２に記載のアンカーの補修用治具によれば、除荷用クサビは周方向に３又は４つに分割され、これら分割された分割片の端面がシャッターに当接可能となるので、シャッターを用いて除荷用クサビを取り外す場合に、除荷用クサビによるクサビ効果を確実に弱めることができ、確実に除荷用クサビを取り外すことができることになる。
【００４８】
また、請求項３に記載のアンカーの補修用治具によれば、シャッターの溝内にアンカーケーブルを相対的に挿入させた際に、シャッター壁面とアンカーケーブルとの間隙を微少なものとすることができ、除荷用クサビの先端部がこれらシャッター壁面とアンカーケーブルとの間に落ち込む等の不都合を回避することができ、補修作業を安定して行うことができる。
【００４９】
また、請求項４に記載のアンカーの補修用治具によれば、除荷用クサビ、カプラーの大型化を招くことがなく、狭隘なスペースでの複数のアンカーケーブルの補修作業を行うことができ、しかも除荷用クサビの先端面が確実にシャッターに当接させることができ、アンカーケーブルの補修作業を安定して行うことができる。
【００５０】
また、請求項５に記載のアンカーの補修用治具によれば、除荷用クサビが３又は４つに分割されていても、該除荷用クサビがシャッターに確実に当接し、該除荷用クサビのシャッターからの脱落を防止し得てアンカーケーブルの補修作業を安定して行うことができる。
【００５１】
さらに、請求項６に記載のアンカーの補修方法によれば、アンカーケーブルの先端部を除荷用クサビによって掴持し、この状態でジャッキにより除荷用クサビを介してアンカーケーブルに荷重を加え、定着クサビをアンカーヘッドから離間させることにより、定着クサビをアンカーケーブルから取り外することができることになる。そして、この後、除荷用クサビとアンカーヘッドとの間にシャッターを挿入し、ジャッキによるアンカーケーブルに対する荷重を除去することにより、除荷用クサビの先端がシャッターに当接し、除荷用クサビによるクサビ効果が弱められ、除荷用クサビをアンカーケーブルから取り外すことができることになる。従って、定着クサビ及び除荷用クサビを容易にかつ確実に取り外すことができるので、アンカーケーブルの緊張力を容易にかつ確実に除去できることになり、アンカーの各部の補修等のメンテナンスを行うことが可能となり、アンカーとしての機能を長期的に発揮することができ、工事箇所を長期的に補強することができることになる。
【００５２】
さらに、請求項７に記載のアンカーの補修方法によれば、除荷用クサビは周方向に３または４つに分割され、これらの分割片の端面がシャッターに当接可能となるので、シャッターを用いて除荷用クサビを取り外す場合に、除荷用クサビによるクサビ効果を確実に弱めることができ、確実に除荷用クサビを取り外すことができることになる。
【図面の簡単な説明】
【図１】  本発明によるアンカーの補修用治具の一実施の形態を示した概略断面図であって、アンカーケーブルに除荷用クサビを取り付けた状態を示した説明図である。
【図２】  図１の側断面図である。
【図３】  本発明によるアンカーの補修用治具の一実施の形態を示した概略断面図であって、除荷用クサビとアンカーヘッドとの間にシャッターを挿入した状態を示した説明図である。
【図４】  図３のＡ−Ａ線に沿って見た概略断面図である。
【図５】  本発明によるアンカーの補修用治具の一実施の形態を示した概略断面図であって、カプラー及び除荷用クサビの端面をシャッターに当接させて、除荷用クサビを取り外し可能とした状態を示した説明図である。
【図６】  図５のＢ−Ｂ線に沿って見た概略断面図である。
【図７】  本発明によるアンカーの補修用治具の一実施の形態において、アンカーケーブルとシャッターとの位置関係を示す説明図である。
【図８】  本発明によるアンカーの補修用治具の一実施の形態における除化用クサビの平面図である。
【図９】  本発明によるアンカーの補修用治具の一実施の形態における除荷用クサビの正断面図である。
【符号の説明】
１  アンカー補修用治具
４  カプラー
５  孔
５ａ  テーパ面
７  除荷用クサビ
７ａ  分割片
１２  ジャッキ
１３  シャッター
１３ａ  当接面
２１  アンカーケーブル
２１ａ  素線
２２  定着クサビ
２３  アンカーヘッド
１００  辺
１０１  仮想偶数多角形
【図１】
0003657567.tif 000002
【図２】
0003657567.tif 000003
【図３】
0003657567.tif 000004
【図４】
0003657567.tif 000005
【図５】
0003657567.tif 000006
【図６】
0003657567.tif 000007
【図７】
0003657567.tif 000008
【図８】
0003657567.tif 000009
【図９】
0003657567.tif 000010